(57)【要約】【課題】半導体発光素子を用いて、観察の対象となる生体対象物のための光源となる半導体発光装置であって、生体対象物内の観察対象部位の物体色を、より詳細に認識することが可能となるように照明を行う半導体発光装置を提供する。【解決手段】半導体発光装置において、半導体発光素子からの発光に基づいて、生体対象物に対して、ベースとなる所定の白色光を出射する白色光出射部と、白色光出射部による所定の白色光の出射とともに、生体対象物の物体色であってマンセル表色系の色相がＲ領域又はＲＰ領域の物体色の補色に相当する、マンセル表色系の色相がＢＧ領域又はＧ領域の所定のシアン色光を出射するシアン色光出射部と、を備える。【選択図】図２
2009289957.tif 000002
【特許請求の範囲】
【請求項１】
一又は複数の半導体発光素子からの発光により、観察の対象となる生体対象物のための光源となる半導体発光装置であって、
前記半導体発光素子からの発光に基づいて、前記生体対象物に対して、色温度が２４００Ｋから６５００Ｋの間であって、且つＵＣＳ（ｕ、ｖ）表色系（ＣＩＥ１９６０）のｕｖ色度図において、黒体輻射軌跡からの偏差ｄｕｖが、−０．０２≦ｄｕｖ≦０．０２である所定の白色光を出射する白色光出射部と、
前記白色光出射部による前記所定の白色光の出射とともに、前記生体対象物の物体色であってマンセル表色系の色相がＲ領域又はＲＰ領域の物体色の補色に相当する、マンセル表色系の色相がＢＧ領域又はＧ領域の所定のシアン色光を出射するシアン色光出射部と、
を備える、半導体発光装置。
【請求項２】
前記生体対象物は生体の血管であり、該血管の物体色の彩度は、所定の彩度以上であって、
前記白色光出射部による前記所定の白色光の出射とともに、前記シアン色光出射部が前記所定のシアン色光の出射を行うことで、前記生体対象物の前記血管の周囲の部位であって且つ該血管と同じようにマンセル表色系の色相がＲ領域又はＲＰ領域である物体色を有する血管周辺部位と、該血管とのコントラストを強調する、
請求項１に記載の半導体発光装置。
【請求項３】
前記所定の白色光は、
３８０ｎｍ〜４２０ｎｍの波長範囲で励起可能であり、主発光ピーク波長が４４０ｎｍ〜４６０ｎｍである青色蛍光体、
３８０ｎｍ〜４２０ｎｍの波長範囲で励起可能であり、主発光ピーク波長が５２０ｎｍ〜５４０ｎｍである緑色蛍光体、および
３８０ｎｍ〜４２０ｎｍの波長範囲で励起可能であり、主発光ピーク波長が６１０ｎｍ〜６５０ｎｍである赤色蛍光体を含む白色光用蛍光体からの発光で構成され、
前記所定のシアン色光は、
３８０ｎｍ〜４２０ｎｍの波長範囲で励起可能であり、主発光ピーク波長が４８０ｎｍ〜５１５ｎｍであるシアン色蛍光体からの発光で構成される、
請求項１又は請求項２に記載の半導体発光装置。
【請求項４】
前記シアン色光出射部は、前記半導体素子からの発光により励起する、ハロ燐酸塩系シアン色蛍光体、燐酸塩系シアン色蛍光体、ケイ酸塩系シアン色蛍光体、アルミン酸塩系シアン色蛍光体および酸窒化物系シアン色蛍光体から選ばれた１または２以上のシアン色蛍光体からの発光で構成される前記所定のシアン色光を出射する、
請求項１から請求項３の何れかに記載の半導体発光装置。
【請求項５】
前記所定の白色光は、
３８０ｎｍ〜４２０ｎｍの波長範囲で励起可能であり、主発光ピーク波長が４４０ｎｍ〜４６０ｎｍである青色蛍光体、
３８０ｎｍ〜４２０ｎｍの波長範囲で励起可能であり、主発光ピーク波長が５２０ｎｍ〜５４０ｎｍである緑色蛍光体、および
３８０ｎｍ〜４２０ｎｍの波長範囲で励起可能であり、主発光ピーク波長が６１０ｎｍ〜６５０ｎｍである赤色蛍光体を含む白色光用蛍光体からの発光で構成され、
前記所定のシアン色光は、
前記青色蛍光体及び前記緑色蛍光体からの発光の混合により構成される、
請求項１又は請求項２に記載の半導体発光装置。
【請求項６】
前記半導体発光装置は、前記半導体発光素子に加えて更にパッケージ、及び蛍光体を有し、該半導体発光素子からの発光及び該発光で励起し蛍光する該蛍光体からの発光により、もしくは該半導体発光素子からの発光で励起し蛍光する該蛍光体からの発光により、外部に対して光を出射する半導体発光装置であって、
前記パッケージは、
前記白色光出射部による前記所定の白色光の出射と、前記シアン色光出射部による前記所定のシアン色光の出射とを行うための共通の半導体発光素子と、
前記半導体発光素子に電力を供給する電力供給部と、
前記共通の半導体発光素子からの発光で励起し、前記所定の白色光を発光する白色光用蛍光体と、前記所定のシアン色光を発光するシアン色光用蛍光体と、前記パッケージを封止する透光性材料とを含む蛍光体と、
を備える、
請求項１又は請求項２に記載の半導体発光装置。
【請求項７】
前記半導体発光装置は、前記半導体発光素子に加えて更にパッケージ、及び蛍光体を有し、該半導体発光素子からの発光及び該発光で励起し蛍光する該蛍光体からの発光により、もしくは該半導体発光素子からの発光で励起し蛍光する該蛍光体からの発光により、外部に対して光を出射する半導体発光装置であって、
前記パッケージは、前記半導体発光装置の出射方向に開口する開口部と、該パッケージ内部を分割して画定される二つの分割領域部とを有し、該分割領域部の各々は前記開口部の一部である分割開口部において開口しており、
前記二つの分割領域部の各々は、
一又は複数の前記半導体発光素子と、
前記半導体発光素子に電力を供給する電力供給部と、
前記蛍光体と、前記分割領域部を封止する透光性材料とを含む蛍光体と、を有し、
前記白色光出射部は、前記二つの分割領域部のうち一方で前記所定の白色光を出射し、
前記シアン色出射部は、前記二つの分割領域部のうち他方で前記所定のシアン色光を出射する、
請求項１又は請求項２に記載の半導体発光装置。
【請求項８】
前記半導体発光素子は、近紫外領域又は紫外領域に発光領域を有する、
請求項１から請求項７の何れかに記載の半導体発光装置。
【請求項９】
請求項１から請求項８の何れかに記載の半導体発光装置と、
前記半導体発光装置からの発光の下で、前記生体対象物を撮像する撮像部と、を備える撮像装置。
【発明の詳細な説明】
【技術分野】
【０００１】
本発明は、半導体発光素子からの発光により外部に対して発光し、特に観察の対象となる生体対象物のための光源となる半導体発光装置に関する。
【背景技術】
【０００２】
昨今においては、省エネルギー性やその他の様々な目的のために、従来の照明装置に代えて半導体発光素子である発光ダイオード（ＬＥＤ）を用いた照明装置が広く提案されてきている。また、従来の光源では実現困難であった色調可変照明の光源としてもＬＥＤは期待されている。その一例として、赤色ＬＥＤ、緑色ＬＥＤ、青色ＬＥＤを一つのパッケージにすることで白色光を出力する照明装置が開示されている（例えば、特許文献１を参照。）。この技術においては、上記三種類のＬＥＤに供給される駆動電流を各ＬＥＤの順方向電圧に応じて調整することで、各ＬＥＤの発光効率を一定にし、白色光の輝度の安定化を図るために、また様々な色調の光を出射するように工夫されている。
【０００３】
また、ＬＥＤを利用した照明技術として、青色ＬＥＤと赤色および緑色発色のための蛍光体を用いて赤色、青色、緑色の光を発光する半導体発光装置を組み合わせて、ＬＥＤの出力を制御することで、黒体輻射軌跡をトレースし、自然光に近い白色光を出射する技術が開示されている（例えば、特許文献２、３を参照。）。
【０００４】
このようにＬＥＤを組み込んだ照明装置は医療分野においても利用され始めており、特に人体等の生体の内部の撮像を行う内視鏡装置における光源として有用である（例えば、特許文献４、５を参照。）。
【特許文献１】特開２００７−５９２６０号公報
【特許文献２】特開２００７−２６５８１８号公報
【特許文献３】特開２００７−２９９５９０号公報
【特許文献４】特開２００８−４８９０５号公報
【特許文献５】特開２００８−３６２８７号公報
【発明の開示】
【発明が解決しようとする課題】
【０００５】
半導体発光素子を用いた発光装置で対象物の照明を行おうとする場合、一般に、その対象物の演色性を出すために、ベースとなる白色光にその物体色に近い色の光を加えて該対象物に照射することが行われている。しかし、医療分野において観察の対象となる生体対象物に対する照明では、その対象物の物体色は、血液の色の影響を受けていわば赤系統の色であり、そのような生体対象物に対して従来の通り演色性を求めた照明を行っても、対象の凹凸による陰影はある程度は認識されるものの、特に観察を行いたい血管やその周辺部位を詳細に認識することは極めて困難な状況にある。
【０００６】
本発明では、上記した問題に鑑み、半導体発光素子を用いて、観察の対象となる生体対象物のための光源となる半導体発光装置であって、生体対象物内の観察対象部位の物体色を、より詳細に認識することが可能となるように照明を行う半導体発光装置を提供することを目的とする。
【課題を解決するための手段】
【０００７】
上記課題を解決するために、出願人は、観察の対象となる対象物の物体色と補色の関係にある色の光を含む、白色ベースの光源を用いて該対象物に照射することで、該対象物を詳細に観察することができることを見出した。特に、対象物が生体内の血管等となる医療
分野においては、血液の色によって多くの生体対象物の物体色が決定され、即ち、生体対象物が同系の赤一色となる。従って、医療分野において生体対象物の照明を行う場合、生体対象物の物体色である赤色の補色関係にあるシアン色を含む白色ベースの光源が有効である。そして、これを具現化することにより生体内の様々な目的部位の詳細まで画像認識することが可能となり、特に血管の詳細を確認することまでできるに至った。
【０００８】
詳細には、本発明は、一又は複数の半導体発光素子からの発光により、観察の対象となる生体対象物のための光源となる半導体発光装置であって、前記半導体発光素子からの発光に基づいて、前記生体対象物に対して、色温度が２４００Ｋから６５００Ｋの間であって、且つＵＣＳ（ｕ、ｖ）表色系（ＣＩＥ１９６０）のｕｖ色度図において、黒体輻射軌跡からの偏差ｄｕｖが、−０．０２≦ｄｕｖ≦０．０２である所定の白色光を出射する白色光出射部と、前記白色光出射部による前記所定の白色光の出射とともに、前記生体対象物の物体色であってマンセル表色系の色相がＲ領域又はＲＰ領域の物体色の補色に相当する、マンセル表色系の色相がＢＧ領域又はＧ領域の所定のシアン色光を出射するシアン色光出射部と、を備える。
【０００９】
本発明に係る半導体発光装置においては、白色光出射部からの所定の白色光の出射とシアン色光出射部からの所定のシアン光の出射とが、生体対象物に対して行われる。尚、出射された所定の白色光と出射された所定のシアン色光は、最終的に観察の対象となる生体対象物上で両出射光が合成されればよく、従って、白色光出射部とシアン色光出射部とは、互いに分離して形成されてもよく、また一体的に形成されてもよい。
【００１０】
ここで、上記所定の白色光は、色温度が２４００Ｋから６５００Ｋの間であって、且つＵＣＳ（ｕ、ｖ）表色系（ＣＩＥ１９６０）のｕｖ色度図において、黒体輻射軌跡からの偏差ｄｕｖが、−０．０２≦ｄｕｖ≦０．０２である。尚、この黒体輻射軌跡からの偏差ｄｕｖは、ＪＩＳ  Ｚ８７２５（光源の分布温度及び色温度・相関色温度の測定方法）の５．４項の備考の定義に従う。このようにすることで、本発明に係る半導体発光装置において、白色光の色温度を安定的に維持し、生体対象物の観察に必要な光のベースを供給することが可能となる。
【００１１】
そして、この所定の白色光に加えて、所定のシアン色光が出射される。所定のシアン色光は、生体対象物の物体色（例えば、生体中の血管の物体色）であるマンセル表色系の色相がＲ領域又はＲＰ領域の血管色の補色に相当する、マンセル表色系の色相がＢＧ領域又はＧ領域に属するシアン色光である。即ち、本発明に係る半導体発光装置においては、シアン色光出射部により生体対象物の血管等の物体色と同類の色ではなく、その補色となるシアン色が供給されることになる。本出願人は、従来のように血管等の赤色と同類のマンセル表色系のＲ領域又はＲＰ領域の色を出射し、生体対象物の演色性を高めようとしても、生体対象物内では血管等をその周囲と区別して認識させることには貢献し難いことを認識した。一方で、血管等の物体色の補色となるシアン色を利用することが該血管等とその周囲との区別には大きく貢献することを見出した。言い換えると、本出願人は、敢えて生体対象物に関する補色を照明として利用することが、生体対象物の観察が極めて容易に行われることに帰結することを見出し、それを踏まえて本発明に係る半導体発光装置を構成したものである。
【００１２】
ここで、前記生体対象物の血管の物体色の彩度は、所定の彩度以上である場合に、前記白色光出射部による前記所定の白色光の出射とともに、前記シアン色光出射部が前記所定のシアン色光の出射を行うことで、前記生体対象物の前記血管の周囲の部位であって且つ該血管と同じようにマンセル表色系の色相がＲ領域又はＲＰ領域である物体色を有する血管周辺部位と、該血管とのコントラストを強調するものであってもよい。
【００１３】
即ち、本出願人は、上記シアン色光出射部からの所定のシアン色光による、血管とその周辺部位の区別化については、マンセル表色系のＲ領域又はＲＰ領域の色の彩度が重要であることを見出した。そして、生体対象物の特に血管の色が所定の彩度以上であるときは、上記所定のシアン色光によって、血管の周辺部位であってその彩度が所定の彩度より低い部位とのコントラストがより強くなり、生体対象物の観察をより良好に行うことができる。
【００１４】
また、上述までの半導体発光装置において、前記所定の白色光は、３８０ｎｍ〜４２０ｎｍの波長範囲で励起可能であり、主発光ピーク波長が４４０ｎｍ〜４６０ｎｍである青色蛍光体、３８０ｎｍ〜４２０ｎｍの波長範囲で励起可能であり、主発光ピーク波長が５２０ｎｍ〜５４０ｎｍである緑色蛍光体、および３８０ｎｍ〜４２０ｎｍの波長範囲で励起可能であり、主発光ピーク波長が６１０ｎｍ〜６５０ｎｍである赤色蛍光体を含む白色光用蛍光体からの発光で構成されてもよい。また、前記所定のシアン色光は、３８０ｎｍ〜４２０ｎｍの波長範囲で励起可能であり、主発光ピーク波長が４８０ｎｍ〜５１５ｎｍであるシアン色蛍光体からの発光で構成されてもよい。
【００１５】
そして、前記シアン色光出射部は、前記半導体素子からの発光により励起する、ハロ燐酸塩系シアン色蛍光体、燐酸塩系シアン色蛍光体、ケイ酸塩系シアン色蛍光体、アルミン酸塩系シアン色蛍光体および酸窒化物系シアン色蛍光体から選ばれた１または２以上のシアン色蛍光体からの発光で構成される前記所定のシアン色光を出射するように構成されてもよい。
【００１６】
また、前記所定のシアン色光については、別の手法として、上記のように励起可能波長範囲及び主発光ピーク波長が規定される前記青色発光体及び前記緑色発光体からの発光を混合することで構成するようにしてもよい。これにより、所定のシアン色光を発光するための蛍光体を改めて準備する必要を省くことができる。
【００１７】
ここで、上述までの半導体発光装置は、前記半導体発光素子に加えて更にパッケージ、及び蛍光体を有し、該半導体発光素子からの発光及び該発光で励起し蛍光する該蛍光体からの発光により、もしくは該半導体発光素子からの発光で励起し蛍光する該蛍光体からの発光により、外部に対して光を出射する半導体発光装置であって、その場合、前記パッケージは、前記白色光出射部による前記所定の白色光の出射と、前記シアン色光出射部による前記所定のシアン色光の出射とを行うための共通の半導体発光素子と、前記半導体発光素子に電力を供給する電力供給部と、を備え、更に、前記共通の半導体発光素子からの発光で励起し、前記所定の白色光を発光する白色光用蛍光体と前記所定のシアン色光を発光するシアン色光用蛍光体と前記パッケージを封止する透光性材料とを含む蛍光体、を備えるように構成されてもよい。
【００１８】
即ち、パッケージの中に、所定の白色光用の蛍光体と所定のシアン色光用の蛍光体とを、所定の白色光用と所定のシアン色光用に共通の半導体発光素子と合わせてまとめて封入することで、換言すると上記白色光出射部と上記シアン色出射部とをパッケージ内で一体的に形成することで、生体対象物の観察が良好に行われ得る。また、このように共通の半導体発光素子を使うことで、半導体発光装置の構成を簡素なものにすることが可能となる。尚、上記白色光用蛍光体は、半導体発光素子からの励起光との組合せに応じて、一又は複数の蛍光体の中から適宜適切な蛍光体を一又は複数選択すればよい。
【００１９】
一方で、上述までの半導体発光装置は、前記半導体発光素子に加えて更にパッケージ、及び蛍光体を有し、該半導体発光素子からの発光及び該発光で励起し蛍光する該蛍光体からの発光により、もしくは該半導体発光素子からの発光で励起し蛍光する該蛍光体からの発光により、外部に対して光を出射する半導体発光装置であって、その場合、前記パッケ
ージは、前記半導体発光装置の出射方向に開口する開口部と、該パッケージ内部を分割して画定される二つの分割領域部とを有し、該分割領域部の各々は前記開口部の一部である分割開口部において開口するように構成されてもよい。そして、前記二つの分割領域部の各々は、一又は複数の前記半導体発光素子と、前記半導体発光素子に電力を供給する電力供給部と、前記蛍光体と、前記分割領域部を封止する透光性材料とを含む蛍光体と、を有し、その状態において、前記白色光出射部は、前記二つの分割領域部のうち一方で前記所定の白色光を出射し、前記シアン色出射部は、前記二つの分割領域部のうち他方で前記所定のシアン色光を出射するようにしてもよい。
【００２０】
即ち、パッケージの中を、所定の白色光出射用の領域部と所定のシアン色光出射用の領域部とに分割して、各領域部に、所定の白色光用の蛍光体と、半導体発光素子を設けることで、換言すると上記白色光出射部と上記シアン色出射部とをパッケージ内に並列に形成することで、生体対象物の観察が良好に行われ得る。また、このようにパッケージ内の出射する光に対応して領域部を形成することで、所定の白色光と所定のシアン色光との比率を適宜調整することが可能となり、生体対象物の良好な観察に資する。
【００２１】
ここで、上述までの半導体発光装置において、前記半導体発光素子は、近紫外領域又は紫外領域に発光領域を有するものであってもよい。近紫外領域又は紫外領域に発光領域を有する半導体発光素子は、物理的性質として、蛍光体を介した出力光の色温度に対する輝度が安定している傾向があるため、半導体発光装置の出力光の輝度安定と、色調の調整容易化を図ることが可能となる。
【００２２】
そして、上述までの半導体発光装置を用いて構成される、医療用の照明装置も有用であり、また、該半導体発光装置と、該半導体発光装置からの発光の下で前記生体対象物を撮像する撮像部と、を備える撮像装置、特に医療用の撮像装置も有用である。
【００２３】
また、本発明に係る半導体発光装置は、観察の対象を生態対象物に限る必要は必ずしも無く、その場合においても、観察の対象となる対象物の目的部位の物体色の補色となる光を、照明のベースとなる白色光と合わせて該対象物に照射することで、該目的部位と、その周辺部位との区別をしやすくなる。即ち、本発明に係る半導体発光装置は、一又は複数の半導体発光素子からの発光により、観察の対象となる対象物のための光源となる半導体発光装置であって、前記半導体発光素子からの発光に基づいて、前記生体対象物に対してベースとなる所定の白色光を出射する白色光出射部と、前記白色光出射部による前記所定の白色光の出射とともに、前記対象物の目的部位の物体色の補色である所定の補色光を出射する補色光出射部と、を備えるように構成することもできる。
【００２４】
このように構成される半導体発光装置では、ベースとなる白色光に加えて所定の補色光が照射されることになる。この所定の補色光は、対象物の目的部位の物体色と補色の関係にあることから、上述した血管色の補色である所定のシアン色の光を生体対象物に照射する場合と同様に、対象物の目的部位を鮮明に認識することに大きく貢献する。尚、この補色光出射部は、予め決められている対象物の目的部位の物体色に対応させて、一色の所定の補色光を出射する形態でもよく、また観察の状況に応じて目的部位の物体色にあわせて適宜所定の補色光を調整できる形態でもよい。
【００２５】
また、上記白色光出射部によって出射される所定の白色光は、対象物の観察の都合に合わせた適切な白色光を選択すればよいが、好ましくは色温度が２４００Ｋから６５００Ｋの間であって、且つＵＣＳ（ｕ、ｖ）表色系（ＣＩＥ１９６０）のｕｖ色度図において、黒体輻射軌跡からの偏差ｄｕｖが、−０．０２≦ｄｕｖ≦０．０２である白色光が選択できる。この白色光により、対象物の観察を良好に行うことができる。
【００２６】
また、上記半導体発光装置において、前記対象物の目的部位の物体色の彩度は、所定の彩度以上であって、その結果、前記白色光出射部による前記所定の白色光の出射とともに、前記補色光出射部が前記所定の補色光の出射を行うことで、前記対象物の目的部位の周囲の部位であって且つ該目的部位と同じようにマンセル表色系の色相が同じ領域である物体色を有する周辺部位と、該目的部位とのコントラストを強調するように構成されてもよい。これにより、対象物の目的部位の観察が円滑に行われ得る。
【発明の効果】
【００２７】
半導体発光素子を用いて、観察の対象となる生体対象物のための光源となる半導体発光装置であって、生体対象物内の観察対象部位の物体色を、より詳細に認識することが可能となるように照明を行う半導体発光装置を提供することが可能となる。
【発明を実施するための最良の形態】
【００２８】
ここで、本発明に係る半導体発光装置の実施例について、明細書添付の図面に基づいて説明する。尚、当該実施例は本発明に係る半導体発光装置の一例を示すものであり、本発明の権利範囲をそれに限定するものではない。
【００２９】
ここで、図１は、本発明に係る半導体発光装置８（以下、単に「発光装置」と言う。）から成る発光モジュール８’を照明装置として備える、医療用の顕微内視鏡（以下、単に「内視鏡」と言う。）１００の概略構成を示し、図２は、発光装置８を構成するパッケージ１、半導体発素子３、該半導体発光装置３への電力供給のための配線２０等の配置を概略的に示している。ここで、顕微内視鏡１００は、その先端に観察の対象である生体対象物（例えば、人体の胃壁組織等）２００の撮像を行う顕微ＣＣＤカメラ１１０と、その照明装置としての発光モジュール８’を有している。尚、図１に示す状態では、生体対象物２００は正常部位２１０と癌細胞等の異常部位２２０で構成されるものとする。そして、内視鏡１００には、生体対象物の組織の一部を採取等するためのカンシ口１２０も設けられている。顕微ＣＣＤカメラ１１０やカンシ口１２０については、本発明に係る半導体発光装置に関する技術的思想とは直接的な関連性が無いため、本明細書ではこれらの詳細な説明は割愛する。
【００３０】
ここで、発光モジュール８’は、本発明に係る複数台の発光装置８によって形成されている。図２に示すように、発光装置８は、パッケージ１を含んで構成され、該パッケージ１は、基板２上に配置された環状且つ円錐台形状のリフレクタ１０を有する。このリフレクタ１０は半導体発行素子であり近紫外光を出力光とする複数の近紫外半導体発光素子３からの出力光を、発光装置８の出射方向に導く機能を有するとともに、パッケージ１の本体としての機能も果たす。尚、リフレクタ１０の円錐台形状の上面側は、発光装置８による光の出射方向となり、開口部１３を形成している。一方で、リフレクタ１０の円錐台形状の下面側は基板２が配置され、詳細は省略するが各近紫外半導体発光素子３への電力供給のための配線２０が敷設されている。
【００３１】
また、近紫外半導体発光素子３は、電力が供給されることにより近紫外領域（主として、発光波長３８０ｎｍ〜４２０ｎｍの領域）の光を発光し、後述する蛍光体１４を励起するものである。中でも、ＧａＮ系化合物半導体を使用したＧａＮ系半導体発光素子が好ましい。なぜなら、ＧａＮ系半導体発光素子は、この領域の光を発するのに、発光出力や外部量子効率が格段に大きく、後述の蛍光体と組み合わせることによって、非常に低電力で非常に明るい発光が得られるからである。ＧａＮ系半導体発光素子においては、ＡｌｘＧａｙＮ発光層、ＧａＮ発光層、またはＩｎｘＧａｙＮ発光層を有しているものが好ましい。ＧａＮ系半導体発光素子においては、それらの中でＩｎｘＧａｙＮ発光層を有するものが、発光強度が非常に強いので、特に好ましく、ＩｎｘＧａｙＮ層とＧａＮ層の多重量子井戸構造のものが、発光強度が非常に強いので、特に好ましい。
【００３２】
なお、上記組成式においてｘ＋ｙの値は通常０．８〜１．２の範囲の値である。ＧａＮ系半導体発光素子において、これら発光層にＺｎやＳｉをドープしたものやドーパント無しのものが発光特性を調節する上で好ましい。
【００３３】
ＧａＮ系半導体発光素子はこれら発光層、ｐ層、ｎ層、電極、及び基板を基本構成要素としたものであり、発光層をｎ型とｐ型のＡｌｘＧａｙＮ層、ＧａＮ層、またはＩｎｘＧａｙＮ層などでサンドイッチにしたヘテロ構造を有しているものが、発光効率が高く、好ましく、さらにヘテロ構造を量子井戸構造にしたものが、発光効率がさらに高く、より好ましい。
【００３４】
また、ＧａＮ系半導体発光素子を形成するためのＧａＮ系結晶層の成長方法としては、ＨＶＰＥ法、ＭＯＶＰＥ法、ＭＢＥ法などが挙げられる。厚膜を形成する場合はＨＶＰＥ法が好ましいが、薄膜を形成する場合はＭＯＶＰＥ法やＭＢＥ法が好ましい。
【００３５】
そして、図２に示すように、基板２上には、この近紫外半導体発光素子３から発せられる光の一部を吸収して異なる波長の光を発する複数の蛍光体１４及び前記蛍光体を封止する透光性材料１５が、近紫外半導体発光素子３を覆って設けられている。尚、図２においては、蛍光体１４は、その発光色に応じてＲ（赤）、Ｇ（緑）、Ｂ（青）、Ｃ（シアン）の４種類の記号が付されており、このように４種類の蛍光体がリフレクタ１０内の領域に混在した状態となっている。各蛍光体の詳細については後述する。近紫外半導体発光素子３から発せられた光の一部は、蛍光体１４に励起光として一部又は全部が吸収される。
【００３６】
次に、蛍光体１４について詳細に説明する。本実施例に係る発光装置８は、生体対象物１００の照明のベースとなる白色光（本発明における所定の白色光）を出力することを目的とし、特に、発光装置８の発光色が、ＵＣＳ（ｕ、ｖ）表色系（ＣＩＥ１９６０）のｕｖ色度図において、黒体輻射軌跡からの偏差ｄｕｖが、−０．０２≦ｄｕｖ≦０．０２であって、色温度が２４００Ｋから６５００Ｋの間となる条件を満たすように、赤色蛍光体、緑色蛍光体、青色蛍光体の３数種の蛍光体を採用する。具体的には以下に挙げられるものを使用することができる。以下、蛍光体の具体例を例示する場合、例示の一般式においては、構造の一部のみが異なる蛍光体を、適宜省略して示している。例えば、「Ｙ2Ｓｉ
Ｏ5：Ｃｅ3+」、「Ｙ2ＳｉＯ5：Ｔｂ3+」及び「Ｙ2ＳｉＯ5：Ｃｅ3+，Ｔｂ3+」を「Ｙ2ＳｉＯ5：Ｃｅ3+，Ｔｂ3+」と、「Ｌａ2Ｏ2Ｓ：Ｅｕ」、「Ｙ2Ｏ2Ｓ：Ｅｕ」及び「(Ｌａ，Ｙ)2Ｏ2Ｓ：Ｅｕ」を「(Ｌａ，Ｙ)2Ｏ2Ｓ：Ｅｕ」とまとめて示している。省略箇所はカ
ンマ(，)で区切って示す。
【００３７】
本発明に好適な赤色蛍光体が発する蛍光の具体的な波長の範囲を例示すると、主発光ピーク波長が通常５７０ｎｍ以上、好ましくは５８０ｎｍ以上、特に好ましくは６１０ｎｍ以上であり、また、通常７００ｎｍ以下、好ましくは６８０ｎｍ以下、特に好ましくは６５０ｎｍ以下である。また、主発光ピークの半値幅は、通常１ｎｍ以上、好ましくは１０ｎｍ以上、特に好ましくは３０ｎｍ以上であり、また通常１２０ｎｍ以下、好ましくは１１０ｎｍ以下、特に好ましくは１００ｎｍ以下である。
【００３８】
赤色蛍光体としては、例えば、赤色破断面を有する破断粒子から構成され、赤色領域の発光を行なう(Ｍｇ，Ｃａ，Ｓｒ，Ｂａ)2Ｓｉ5Ｎ8：Ｅｕで表されるユウロピウム付活ア
ルカリ土類シリコンナイトライド系蛍光体、規則的な結晶成長形状としてほぼ球形状を有する成長粒子から構成され、赤色領域の発光を行なう(Ｙ，Ｌａ，Ｇｄ，Ｌｕ)2Ｏ2Ｓ：Ｅｕで表されるユウロピウム付活希土類オキシカルコゲナイド系蛍光体等が挙げられる。
【００３９】
さらに、Ｔｉ、Ｚｒ、Ｈｆ、Ｎｂ、Ｔａ、Ｗ、及びＭｏよりなる群から選ばれる少なく
も１種の元素を含有する酸窒化物および／または酸硫化物を含有する蛍光体であって、Ａｌ元素の一部または全てがＧａ元素で置換されたアルファサイアロン構造をもつ酸窒化物を含有する蛍光体も用いることができる。なお、これらは酸窒化物および／または酸硫化物を含有する蛍光体である。
【００４０】
また、そのほか、赤色蛍光体としては、(Ｌａ，Ｙ)2Ｏ2Ｓ：Ｅｕ等のＥｕ付活酸硫化物蛍光体、Ｙ(Ｖ，Ｐ)Ｏ4：Ｅｕ、Ｙ2Ｏ3：Ｅｕ等のＥｕ付活酸化物蛍光体、(Ｂａ，Ｓｒ，Ｃａ，Ｍｇ)2ＳｉＯ4：Ｅｕ，Ｍｎ、(Ｂａ，Ｍｇ)2ＳｉＯ4：Ｅｕ，Ｍｎ等のＥｕ，Ｍｎ
付活珪酸塩蛍光体、(Ｃａ，Ｓｒ)Ｓ：Ｅｕ等のＥｕ付活硫化物蛍光体、ＹＡｌＯ3：Ｅｕ
等のＥｕ付活アルミン酸塩蛍光体、ＬｉＹ9(ＳｉＯ4)6Ｏ2：Ｅｕ、Ｃａ2Ｙ8(ＳｉＯ4)6Ｏ2：Ｅｕ、(Ｓｒ，Ｂａ，Ｃａ)3ＳｉＯ5：Ｅｕ、Ｓｒ2ＢａＳｉＯ5：Ｅｕ等のＥｕ付活珪
酸塩蛍光体、(Ｙ，Ｇｄ)3Ａｌ5Ｏ12：Ｃｅ、(Ｔｂ，Ｇｄ)3Ａｌ5Ｏ12：Ｃｅ等のＣｅ付活アルミン酸塩蛍光体、(Ｃａ，Ｓｒ，Ｂａ)2Ｓｉ5Ｎ8：Ｅｕ、(Ｍｇ，Ｃａ，Ｓｒ，Ｂａ)
ＳｉＮ2：Ｅｕ、(Ｍｇ，Ｃａ，Ｓｒ，Ｂａ)ＡｌＳｉＮ3：Ｅｕ等のＥｕ付活窒化物蛍光体、(Ｍｇ，Ｃａ，Ｓｒ，Ｂａ)ＡｌＳｉＮ3：Ｃｅ等のＣｅ付活窒化物蛍光体、(Ｓｒ，Ｃａ，Ｂａ，Ｍｇ)10(ＰＯ4)6Ｃｌ2：Ｅｕ，Ｍｎ等のＥｕ，Ｍｎ付活ハロリン酸塩蛍光体、Ｂａ3ＭｇＳｉ2Ｏ8：Ｅｕ，Ｍｎ、(Ｂａ，Ｓｒ，Ｃａ，Ｍｇ)3(Ｚｎ，Ｍｇ)Ｓｉ2Ｏ8：Ｅｕ，Ｍｎ等のＥｕ，Ｍｎ付活珪酸塩蛍光体、３．５ＭｇＯ・０．５ＭｇＦ2・ＧｅＯ2：Ｍｎ等のＭｎ付活ゲルマン酸塩蛍光体、Ｅｕ付活αサイアロン等のＥｕ付活酸窒化物蛍光体、(Ｇｄ，Ｙ，Ｌｕ，Ｌａ)2Ｏ3：Ｅｕ，Ｂｉ等のＥｕ，Ｂｉ付活酸化物蛍光体、(Ｇｄ，Ｙ
，Ｌｕ，Ｌａ)2Ｏ2Ｓ：Ｅｕ，Ｂｉ等のＥｕ，Ｂｉ付活酸硫化物蛍光体、(Ｇｄ，Ｙ，Ｌｕ，Ｌａ)ＶＯ4：Ｅｕ，Ｂｉ等のＥｕ，Ｂｉ付活バナジン酸塩蛍光体、ＳｒＹ2Ｓ4：Ｅｕ，Ｃｅ等のＥｕ，Ｃｅ付活硫化物蛍光体、ＣａＬａ2Ｓ4：Ｃｅ等のＣｅ付活硫化物蛍光体、(Ｂａ，Ｓｒ，Ｃａ)ＭｇＰ2Ｏ7：Ｅｕ，Ｍｎ、(Ｓｒ，Ｃａ，Ｂａ，Ｍｇ，Ｚｎ)2Ｐ2Ｏ7
：Ｅｕ，Ｍｎ等のＥｕ，Ｍｎ付活リン酸塩蛍光体、(Ｙ，Ｌｕ)2ＷＯ6：Ｅｕ，Ｍｏ等のＥｕ，Ｍｏ付活タングステン酸塩蛍光体、(Ｂａ，Ｓｒ，Ｃａ)xＳｉyＮz：Ｅｕ，Ｃｅ（但
し、ｘ、ｙ、ｚは、１以上の整数）等のＥｕ，Ｃｅ付活窒化物蛍光体、(Ｃａ，Ｓｒ，Ｂ
ａ，Ｍｇ)10(ＰＯ4)6(Ｆ，Ｃｌ，Ｂｒ，ＯＨ)2：Ｅｕ，Ｍｎ等のＥｕ，Ｍｎ付活ハロリン酸塩蛍光体、((Ｙ，Ｌｕ，Ｇｄ，Ｔｂ)1-xＳｃxＣｅy)2(Ｃａ，Ｍｇ)1-r(Ｍｇ，Ｚｎ)2+rＳｉz-qＧｅｑＯ12+δ等のＣｅ付活珪酸塩蛍光体等を用いることも可能である。
【００４１】
また、赤色蛍光体としては、β−ジケトネート、β−ジケトン、芳香族カルボン酸、または、ブレンステッド酸等のアニオンを配位子とする希土類元素イオン錯体からなる赤色有機蛍光体、ペリレン系顔料(例えば、ジベンゾ｛［ｆ，ｆ'］−４，４'，７，７'−テトラフェニル｝ジインデノ［１，２，３−ｃｄ：１'，２'，３'−ｌｍ］ペリレン)、アントラキノン系顔料、レーキ系顔料、アゾ系顔料、キナクリドン系顔料、アントラセン系顔料、イソインドリン系顔料、イソインドリノン系顔料、フタロシアニン系顔料、トリフェニルメタン系塩基性染料、インダンスロン系顔料、インドフェノール系顔料、シアニン系顔料、ジオキサジン系顔料を用いることも可能である。
【００４２】
本発明に好適な緑色蛍光体が発する蛍光の具体的な波長の範囲を例示すると、主発光ピーク波長が通常５００ｎｍ以上、好ましくは５１０ｎｍ以上、特に好ましくは５２０ｎｍ以上であり、また、通常５８０ｎｍ以下、好ましくは５７０ｎｍ以下、特に好ましくは５４０ｎｍ以下である。また、主発光ピークの半値幅が通常１ｎｍ以上、好ましくは１０ｎｍ以上、特に好ましくは３０ｎｍ以上であり、また、通常１２０ｎｍ以下、好ましくは９０ｎｍ以下、特に好ましくは６０ｎｍ以下である。
【００４３】
このような緑色蛍光体として、例えば、破断面を有する破断粒子から構成され、緑色領域の発光を行なう(Ｍｇ，Ｃａ，Ｓｒ，Ｂａ)Ｓｉ2Ｏ2Ｎ2：Ｅｕで表されるユウロピウム
付活アルカリ土類シリコンオキシナイトライド系蛍光体、破断面を有する破断粒子から構
成され、緑色領域の発光を行なう(Ｂａ，Ｃａ，Ｓｒ，Ｍｇ)2ＳｉＯ4：Ｅｕで表されるユウロピウム付活アルカリ土類シリケート系蛍光体等が挙げられる。
【００４４】
また、そのほか、緑色蛍光体としては、Ｓｒ4Ａｌ14Ｏ25：Ｅｕ、(Ｂａ，Ｓｒ，Ｃａ)
Ａｌ2Ｏ4：Ｅｕ等のＥｕ付活アルミン酸塩蛍光体、(Ｓｒ，Ｂａ)Ａｌ2Ｓｉ2Ｏ8：Ｅｕ、(Ｂａ，Ｍｇ)2ＳｉＯ4：Ｅｕ、(Ｂａ，Ｓｒ，Ｃａ，Ｍｇ)2ＳｉＯ4：Ｅｕ、(Ｂａ，Ｓｒ，Ｃａ)2(Ｍｇ，Ｚｎ)Ｓｉ2Ｏ7：Ｅｕ等のＥｕ付活珪酸塩蛍光体、Ｙ2ＳｉＯ5：Ｃｅ，Ｔｂ等のＣｅ，Ｔｂ付活珪酸塩蛍光体、Ｓｒ2Ｐ2Ｏ7−Ｓｒ2Ｂ2Ｏ5：Ｅｕ等のＥｕ付活硼酸リン酸塩蛍光体、Ｓｒ2Ｓｉ3Ｏ8−２ＳｒＣｌ2：Ｅｕ等のＥｕ付活ハロ珪酸塩蛍光体、Ｚn2ＳｉＯ4：Ｍｎ等のＭｎ付活珪酸塩蛍光体、ＣｅＭｇＡｌ11Ｏ19：Ｔｂ、Ｙ3Ａｌ5Ｏ12：
Ｔｂ等のＴｂ付活アルミン酸塩蛍光体、Ｃａ2Ｙ8(ＳｉＯ4)6Ｏ2：Ｔｂ、Ｌａ3Ｇａ5Ｓｉ
Ｏ14：Ｔｂ等のＴｂ付活珪酸塩蛍光体、(Ｓｒ，Ｂａ，Ｃａ)Ｇａ2Ｓ4：Ｅｕ，Ｔｂ，Ｓｍ等のＥｕ，Ｔｂ，Ｓｍ付活チオガレート蛍光体、Ｙ3(Ａｌ，Ｇａ)5Ｏ12：Ｃｅ、(Ｙ，Ｇ
ａ，Ｔｂ，Ｌａ，Ｓｍ，Ｐｒ，Ｌｕ)3(Ａｌ，Ｇａ)5Ｏ12：Ｃｅ等のＣｅ付活アルミン酸
塩蛍光体、Ｃａ3Ｓｃ2Ｓｉ3Ｏ12：Ｃｅ、Ｃａ3(Ｓｃ，Ｍｇ，Ｎａ，Ｌｉ)2Ｓｉ3Ｏ12：Ｃｅ等のＣｅ付活珪酸塩蛍光体、ＣａＳｃ2Ｏ4：Ｃｅ等のＣｅ付活酸化物蛍光体、ＳｒＳｉ2Ｏ2Ｎ2：Ｅｕ、(Ｓｒ，Ｂａ，Ｃａ)Ｓｉ2Ｏ2Ｎ2：Ｅｕ、Ｅｕ付活βサイアロン等のＥｕ付活酸窒化物蛍光体、ＢａＭｇＡｌ10Ｏ17：Ｅｕ，Ｍｎ等のＥｕ，Ｍｎ付活アルミン酸塩蛍光体、ＳｒＡｌ2Ｏ4：Ｅｕ等のＥｕ付活アルミン酸塩蛍光体、(Ｌａ，Ｇｄ，Ｙ)2Ｏ2Ｓ：Ｔｂ等のＴｂ付活酸硫化物蛍光体、ＬａＰＯ4：Ｃｅ，Ｔｂ等のＣｅ，Ｔｂ付活リン酸
塩蛍光体、ＺｎＳ：Ｃｕ，Ａｌ、ＺｎＳ：Ｃｕ，Ａｕ，Ａｌ等の硫化物蛍光体、(Ｙ，Ｇ
ａ，Ｌｕ，Ｓｃ，Ｌａ)ＢＯ3：Ｃｅ，Ｔｂ、Ｎａ2Ｇｄ2Ｂ2Ｏ7：Ｃｅ，Ｔｂ、(Ｂａ，Ｓ
ｒ)2(Ｃａ，Ｍｇ，Ｚｎ)Ｂ2Ｏ6：Ｋ，Ｃｅ，Ｔｂ等のＣｅ，Ｔｂ付活硼酸塩蛍光体、Ｃａ8Ｍｇ(ＳｉＯ4)4Ｃｌ2：Ｅｕ，Ｍｎ等のＥｕ，Ｍｎ付活ハロ珪酸塩蛍光体、(Ｓｒ，Ｃａ
，Ｂａ)(Ａｌ，Ｇａ，Ｉｎ)2Ｓ4：Ｅｕ等のＥｕ付活チオアルミネート蛍光体やチオガレ
ート蛍光体、(Ｃａ，Ｓｒ)8(Ｍｇ，Ｚｎ)(ＳｉＯ4)4Ｃｌ2：Ｅｕ，Ｍｎ等のＥｕ，Ｍｎ付活ハロ珪酸塩蛍光体等を用いることも可能である。
【００４５】
また、緑色蛍光体としては、ピリジン−フタルイミド縮合誘導体、ベンゾオキサジノン系、キナゾリノン系、クマリン系、キノフタロン系、ナルタル酸イミド系等の蛍光色素、テルビウム錯体等の有機蛍光体を用いることも可能である。
【００４６】
本発明に好適な青色蛍光体が発する蛍光の具体的な波長の範囲を例示すると、主発光ピーク波長が通常４３０ｎｍ以上、好ましくは４４０ｎｍ以上であり、また、通常４８０ｎｍ以下、好ましくは４６０ｎｍ以下である。また、主発光ピークの半値幅が通常１ｎｍ以上、好ましくは１０ｎｍ以上、特に好ましくは３０ｎｍ以上で有り、また通常１００ｎｍ以下、好ましくは８０ｎｍ以下、特に好ましくは７０ｎｍ以下である。
【００４７】
このような青色蛍光体としては、規則的な結晶成長形状としてほぼ六角形状を有する成長粒子から構成され、青色領域の発光を行なうＢａＭｇＡｌ10Ｏ17：Ｅｕで表されるユウロピウム付活バリウムマグネシウムアルミネート系蛍光体、規則的な結晶成長形状としてほぼ球形状を有する成長粒子から構成され、青色領域の発光を行なう(Ｃａ，Ｓｒ，Ｂａ)5(ＰＯ4)3Ｃｌ：Ｅｕで表されるユウロピウム付活ハロリン酸カルシウム系蛍光体、規則
的な結晶成長形状としてほぼ立方体形状を有する成長粒子から構成され、青色領域の発光を行なう(Ｃａ，Ｓｒ，Ｂａ)2Ｂ5Ｏ9Ｃｌ：Ｅｕで表されるユウロピウム付活アルカリ土
類クロロボレート系蛍光体、破断面を有する破断粒子から構成され、青緑色領域の発光を行なう(Ｓｒ，Ｃａ，Ｂａ)Ａｌ2Ｏ4：Ｅｕまたは(Ｓｒ，Ｃａ，Ｂａ)4Ａｌ14Ｏ25：Ｅｕ
で表されるユウロピウム付活アルカリ土類アルミネート系蛍光体等が挙げられる。
【００４８】
また、そのほか、青色蛍光体としては、Ｓｒ2Ｐ2Ｏ7：Ｓｎ等のＳｎ付活リン酸塩蛍光
体、Ｓｒ4Ａｌ14Ｏ25：Ｅｕ、ＢａＭｇＡｌ10Ｏ17：Ｅｕ、ＢａＡｌ8Ｏ13：Ｅｕ等のＥｕ付活アルミン酸塩蛍光体、ＳｒＧａ2Ｓ4：Ｃｅ、ＣａＧａ2Ｓ4：Ｃｅ等のＣｅ付活チオガレート蛍光体、(Ｂａ，Ｓｒ，Ｃａ)ＭｇＡｌ10Ｏ17：Ｅｕ、ＢａＭｇＡｌ10Ｏ17：Ｅｕ，Ｔｂ，Ｓｍ等のＥｕ，Ｔｂ，Ｓｍ付活アルミン酸塩蛍光体、(Ｂａ，Ｓｒ，Ｃａ)ＭｇＡｌ10Ｏ17：Ｅｕ，Ｍｎ等のＥｕ，Ｍｎ付活アルミン酸塩蛍光体、(Ｓｒ，Ｃａ，Ｂａ，Ｍｇ)10(ＰＯ4)6Ｃｌ2：Ｅｕ、(Ｂａ，Ｓｒ，Ｃａ)5(ＰＯ4)3(Ｃｌ，Ｆ，Ｂｒ，ＯＨ)：Ｅｕ，Ｍｎ，Ｓｂ等のＥｕ，Ｔｂ，Ｓｍ付活ハロリン酸塩蛍光体、ＢａＡｌ2Ｓｉ2Ｏ8：Ｅｕ、(Ｓｒ，Ｂａ)3ＭｇＳｉ2Ｏ8：Ｅｕ等のＥｕ付活珪酸塩蛍光体、Ｓｒ2Ｐ2Ｏ7：Ｅｕ等のＥ
ｕ付活リン酸塩蛍光体、ＺｎＳ：Ａｇ、ＺｎＳ：Ａｇ，Ａｌ等の硫化物蛍光体、Ｙ2Ｓｉ
Ｏ5：Ｃｅ等のＣｅ付活珪酸塩蛍光体、ＣａＷＯ4等のタングステン酸塩蛍光体、(Ｂａ，
Ｓｒ，Ｃａ)ＢＰＯ5：Ｅｕ，Ｍｎ、(Ｓｒ，Ｃａ)10(ＰＯ4)6・ｎＢ2Ｏ3：Ｅｕ、２ＳｒＯ・０．８４Ｐ2Ｏ5・０．１６Ｂ2Ｏ3：Ｅｕ等のＥｕ，Ｍｎ付活硼酸リン酸塩蛍光体、Ｓｒ2Ｓｉ3Ｏ8・２ＳｒＣｌ2：Ｅｕ等のＥｕ付活ハロ珪酸塩蛍光体等を用いることも可能である。
【００４９】
また、青色蛍光体としては、例えば、ナフタル酸イミド系、ベンゾオキサゾール系、スチリル系、クマリン系、ピラゾリン系、トリアゾール系化合物の蛍光色素、ツリウム錯体等の有機蛍光体等を用いることも可能である。
【００５０】
なお、発光装置８において所定の白色光を出射するために、上述の赤色、緑色、青色蛍光体を、所望の発光スペクトル、色温度、色度座標、演色性、発光効率などに応じて適宜組み合わせて用いればよい。
【００５１】
次に、発光装置８の蛍光体１４には、上記所定の白色光用のＲ、Ｇ、Ｂの蛍光体の他に、本発明の所定のシアン色光に相当するシアン色光を発光するための蛍光体（図２中、Ｃの記号で示される蛍光体）が含まれる。このシアン色光用の蛍光体は、上記白色光用の蛍光体とともに、リフレクタ１０の内部の領域に混ぜて存在する。ここで、本発明に好適なシアン色蛍光体が発する蛍光の具体的な波長の範囲を例示すると、主発光ピーク波長は好ましくは４８０ｎｍ以上であり、また、好ましくは５１５ｎｍ以下である。また、主発光ピークの半値幅は特に制限はないが、通常１００ｎｍ以下である。半値幅が大きすぎると、近傍の他色に影響を与えることがあるため、設計には十分注意する必要がある。
【００５２】
このようなシアン色蛍光体としては、例えば（Ｂａ，Ｃａ，Ｍｇ）10（ＰＯ4）6Ｃｌ2
：Ｅｕ2+（ピーク波長４８３ｎｍ）などのハロ燐酸塩系蛍光体、２ＳｒＯ・０．８４Ｐ2
Ｏ5・０．１６Ｂ2Ｏ3：Ｅｕ2+（ピーク波長４８０ｎｍ）などの燐酸塩系蛍光体、Ｓｒ2Ｓｉ3Ｏ8・２ＳｒＣｌ2：Ｅｕ2+ピーク波長４９０ｎｍ）などのケイ酸塩系蛍光体、ＢａＡ
ｌ8Ｏ13：Ｅｕ2+（ピーク波長  ４８０ｎｍ）、ＢａＭｇ2Ａｌ16Ｏ27：Ｅｕ2+，Ｍｎ2+（ピーク波長  ４５０ｎｍ、５１５ｎｍ）、ＳｒＭｇＡｌ10Ｏ17：Ｅｕ2+（ピーク波長  ４８０ｎｍ程度）、Ｓｒ4Ａｌ14Ｏ25：Ｅｕ2+（ピーク波長  ４８０ｎｍ程度）などのアル
ミン酸塩系蛍光体、ＢａＳｉ2Ｎ2Ｏ2：Ｅｕ2+（ピーク波長  ４８０ｎｍ程度）などの酸
窒化物系蛍光体などを挙げることができる。なお、本発明の所定のシアン色光に相当するシアン色光を発光するための蛍光体は、前記シアン蛍光体の１または２以上で構成されていても良いが、前記青色蛍光体、前記緑色蛍光体を適宜混合することにより、これら蛍光体からの発光の混合により構成される光がシアン色になる構成を採用してもよい。
【００５３】
本発明の発光装置８は、上述の近紫外半導体発光素子３および蛍光体１４（Ｒ、Ｇ、Ｂ、Ｃ）を備えていればよく、そのほかの構成は特に制限されない。近紫外半導体発光素子３および蛍光体１４は、通常、近紫外半導体発光素子３の発光によって蛍光体が励起されて発光を生じ、この発光が、外部に取り出されるように配置されることになる。このような構造を有する場合、上述の近紫外半導体発光素子３および蛍光体１４は、通常は透光性
材料（封止材料）で封止保護される。具体的には、この封止材料は、上記蛍光体１４を分散させて発光部分を構成したり、近紫外半導体発光素子３、蛍光体１４および基板２間を接着したりする目的で採用される。
【００５４】
そして、使用される透光性材料としては、通常、熱可塑性樹脂、熱硬化性樹脂、光硬化性樹脂等が挙げられるが、近紫外半導体発光素子３はその出力光の波長が３８０ｎｍ〜４２０ｎｍの近紫外領域にあるため、その出力光に対して充分な透明性と耐久性のある樹脂が封止材料として好ましい。そこで、封止材料として、具体的には、ポリ（メタ）アクリル酸メチル等の（メタ）アクリル樹脂；ポリスチレン、スチレン−アクリロニトリル共重合体等のスチレン樹脂；ポリカーボネート樹脂；ポリエステル樹脂；フェノキシ樹脂；ブチラール樹脂；ポリビニルアルコール；エチルセルロース、セルロースアセテート、セルロースアセテートブチレート等のセルロース系樹脂；エポキシ樹脂；フェノール樹脂；シリコーン樹脂等が挙げられる。また、無機系材料、例えば、金属アルコキシド、セラミック前駆体ポリマー若しくは金属アルコキシドを含有する溶液をゾル−ゲル法により加水分解重合して成る溶液又はこれらの組み合わせを固化した無機系材料、例えばシロキサン結合を有する無機系材料やガラスを用いることもできる。
【００５５】
これらのうち、耐熱性、耐紫外線（ＵＶ）性等の点から、珪素含有化合物であるシリコーン樹脂や金属アルコキシド、セラミック前駆体ポリマー若しくは金属アルコキシドを含有する溶液をゾル−ゲル法により加水分解重合して成る溶液またはこれらの組み合わせを固化した無機系材料、例えばシロキサン結合を有する無機系材料が好ましい。特に、以下の特徴（１）〜（３）のうち１つ以上を、好ましくは全てを有するシリコーン系材料やシリコーン樹脂（以下「本発明のシリコーン系材料」と称す場合がある。）が好ましい。
【００５６】
（１）固体Ｓｉ−核磁気共鳴（ＮＭＲ）スペクトルにおいて、下記（ｉ）および／または（ii）のピークを少なくとも１つ有する。
（ｉ）ピークトップの位置がケミカルシフト−４０ｐｐｍ以上、０ｐｐｍ以下の領域にあり、ピークの半値幅が０．３ｐｐｍ以上、３．０ｐｐｍ以下であるピーク。
（ii）ピークトップの位置がケミカルシフト−８０ｐｐｍ以上、−４０ｐｐｍ未満の領域にあり、ピークの半値幅が０．３ｐｐｍ以上５．０ｐｐｍ以下であるピーク。
（２）珪素含有率が２０重量％以上である。
（３）シラノール含有率が０．０１重量％以上、１０重量％以下である。
【００５７】
ここで、上記封止剤としてのシリコーン系材料については、上記の通り、珪素含有率が２０重量％以上であるものが好ましい。従来のシリコーン系材料の基本骨格は炭素−炭素及び炭素−酸素結合を基本骨格としたエポキシ樹脂等の有機樹脂であるが、これに対し本発明のシリコーン系材料の基本骨格はガラス（ケイ酸塩ガラス）などと同じ無機質のシロキサン結合である。このシロキサン結合を有するシリコーン系材料は、（Ｉ）結合エネルギーが大きく、熱分解・光分解しにくいため、耐光性が良好である、（II）電気的に若干分極している、（III）鎖状構造の自由度は大きく、フレキシブル性に富む構造が可能で
あり、シロキサン鎖中心に自由回転可能である、（IV）酸化度が大きく、これ以上酸化されない、（V）電気絶縁性に富む等の優れた特徴を有する。
【００５８】
これらの特徴から、シロキサン結合が３次元的に、しかも高架橋度で結合した骨格で形成されるシリコーン系材料は、ガラス或いは岩石などの無機質に近く、耐熱性・耐光性に富む保護皮膜となることが理解できる。特にメチル基を置換基とするシリコーン系材料は、紫外領域に吸収を持たないため光分解が起こりにくく、耐光性に優れる。
【００５９】
本発明のシリコーン系材料の珪素含有率は、上述の様に２０重量％以上であるが、中でも２５重量％以上が好ましく、３０重量％以上がより好ましい。一方、上限としては、Ｓ
ｉＯ2のみからなるガラスの珪素含有率が４７重量％であるという理由から、通常４７重
量％以下の範囲である。
【００６０】
このように構成される発光装置８では、配線２０を介して近紫外半導体発光素子３に電力が供給されると、そこから近紫外の出力光が各蛍光体に吸収され、その結果、Ｒ、Ｇ、Ｂの蛍光体から出射される赤色光、緑色光、青色光で合成される所定の白色光（当該白色光は、従来からの白色光であり、図３中等においては「通常白色光」と記載されている。）に、同様に近紫外で励起されＣの蛍光体から出射される所定のシアン色光が合成されて「シアニッシュ白色光」として、生体対象物２００に照射されることになる。ここで、図３に、通常白色光とシアニッシュ白色光のスペクトル変化を示す。このように、シアン色光の主発光ピーク波長４８０ｎｍ〜５１５ｎｍ近傍の発光強度について、シアニッシュ白色光の方が通常白色光より増加しているのが分かる。
【００６１】
また、図４は、Ｒ、Ｇ、Ｂ、Ｃの各蛍光体に対応する出射光の色度点ＰR、ＰG、ＰB、
ＰCをｘｙ色度図（ＣＩＥ１９３１）上にプロットしたものであり、参考として黄色（Ｙ
）とマゼンダ（Ｍ）の出射光の色度点ＰY、ＰMもプロットされている。更に、図４に示すｘｙ色度図には、通常白色光の色度点ＰW及びシアニッシュ白色光の色度点ＰWCが黒体輻
射軌跡ＢＢＬとともに示されている。次に、図５は、図４の要部拡大図であり、図中に示されている黒体輻射からの偏差の範囲−０．０２≦ｄｕｖ≦０．０２は、ＵＣＳ表色系（ＣＩＥ１９６０）からｘｙ色度図（ＣＩＥ１９３１）上へ変換したものである。
【００６２】
このように、Ｒ、Ｇ、Ｂの各蛍光体からの発光で合成される通常白色光は、図５に示すように、色温度が２４００Ｋから６５００Ｋの範囲に属し、且つその色度点ＰWは、黒体
輻射軌跡ＢＢＬからの偏差ｄｕｖが−０．０２≦ｄｕｖ≦０．０２に収められる。換言すると、上記通常白色光は、実質的に黒体輻射軌跡ＢＢＬに沿っているといってよい状態である。その結果、人間の視覚に対して極めて自然に近い白色光を提供することができる。また、この通常白色光とＣの蛍光体からの発光との合成光であるシアニッシュ白色光の色度点ＰWCは、この通常白色光ＰWの色度点とシアン光の色度点ＰCとの間に位置する。
【００６３】
ここで、Ｃの蛍光体によるシアン色光の色度点ＰCは、図４に示すｘｙ色度図上のＥＥ
Ｗ(Equal Energy White：図４において座標(0.33,0.33)で示される)を挟んでＲの蛍光体
による赤色光の色度点ＰRや生体対象物２００の物体色である赤色の色度点と対向する関
係にある。即ち、該シアン色光は、該赤色光と補色関係にある。このことは、Ｇの蛍光体による緑色光と参考例示した黄色光、及びＢの蛍光体による青色光と参考例示したマゼンダ色光においても同様である。従って、上記発光装置８によって照射されるシアニッシュ白色光は、通常白色光に赤色光の補色であるシアン色光が合成された光であると言える。
【００６４】
ここで、生体対象物２００の物体色である赤色とＣの蛍光体によるシアン色光との関係について説明する。発光装置８の観察対象である生体対象物２００においては、そこを流れる血液に主に起因して、生体対象物２００全体の物体色は、通常白色光の下ではいわゆるマンセル表色系のＲ領域に属する。即ち、生体対象物２００の正常部位２１０においてもその物体色は該Ｒ領域に属し、異常部位においてもその物体色は該Ｒ領域属する。そのため、生体対象物２００に対して通常白色光を照射しても正常部位２１０と異常部位２２０を区別して認識するのは難しい場合がある。また、一般に、観察対象の演色性を高めるために、対象物が有する物体色に類似する色を有する光を照射することが行われるが、生体対象物２００に対して赤色光を照射しても、やはり正常部位２１０と異常部位２２０とを区別して識別するのは難しい。
【００６５】
ここで、癌細胞等の異常部位はその成長のため正常部位よりも多くの血管を集めるという特性があることを考慮すると、異常部位２２０は正常部位２１０よりも血の色で赤色が
鮮明となると考えられる。即ち、異常部位２２０の赤色の彩度は、正常部位２１０の赤色の彩度より高くなる。図６には、マンセル表色系のＲ領域である２．５Ｒのマンセル色票（横軸が彩度Ｃ(Chroma)、縦軸が明度Ｖ(Value)）を示す。このマンセル色票において、
正常部位２１０の物体色の彩度は６、異常部位２２０の物体色の彩度は１４であり、異常部位２２０の物体色の方が高彩度側に位置する。
【００６６】
ここで、正常部位２１０の物体色である彩度６の赤色の反射スペクトルを図７Ａに示し、異常部位２２０の物体色である彩度１４の赤色の反射スペクトルを図７Ｂに示す。マンセル表色系において２．５Ｒ、５Ｖという条件下であれば、５８０ｎｍ近傍を超える波長領域での反射率の上昇が弱くなると、物体色全体が赤色とは逆色側に位置する５８０ｎｍより波長の短い領域の影響を受けやすくなり、その結果として物体色としての赤色の白色性が強くなり、その彩度が低くなる。言い換えると、高彩度側の１４Ｃの赤色では、５８０ｎｍ近傍を超える波長領域での反射率の上昇は、図７Ｂに示すように極めて高い状態である。
【００６７】
ここで、光源である発光装置８からの照射を受けた生体対象物２００の物体色は、該発光装置８からの出射光のスペクトル（図３を参照）と、該生体対象物２００における反射スペクトル（図７Ａ、図７Ｂを参照）の積で表される。そこで、図８Ａに通常白色光の照射を受けた場合の、低彩度（彩度Ｃが６）である正常部位２１０の物体色の波長スペクトル（図３に示す通常白色光のスペクトルと、図７Ａに示す反射スペクトルの積で表される）を示し、図８Ｂには、シアニッシュ白色光の照射を受けた場合の、低彩度である正常部位２１０の物体色の波長スペクトル（図３に示すシアニッシュ白色光のスペクトルと、図７Ａに示す反射スペクトルの積で表される）を示す。また、図９Ａに通常白色光の照射を受けた場合の、高彩度（彩度Ｃが１４）である異常部位２２０の物体色の波長スペクトル（図３に示す通常白色光のスペクトルと、図７Ｂに示す反射スペクトルの積で表される）を示し、図９Ｂには、シアニッシュ白色光の照射を受けた場合の、高彩度である異常部位２２０の物体色の波長スペクトル（図３に示すシアニッシュ白色光のスペクトルと、図７Ｂに示す反射スペクトルの積で表される）を示す。
【００６８】
図８Ａ、図８Ｂに示すように、低彩度の正常部位２１０では、シアニッシュ白色光が照射された場合では、通常白色光が照射された場合と比べて、４８０ｎｍ近傍の領域の強度が上昇する一方で、赤色のベースとなる５８０ｎｍ〜６８０ｎｍの領域の強度は大きく変化しない。そのため正常部位２１０の物体色全体としては、４８０ｎｍ近傍の領域の影響が強くなり、白色化が促進され、通常白色光下での物体色との色変化が強く生じることになる。一方で、図９Ａ、図９Ｂに示すように、高彩度の異常部位２２０では、シアニッシュ白色光が照射された場合では、通常白色光が照射された場合と比べて、４８０ｎｍ近傍の領域の強度はわずかに上昇するが、赤色のベースとなる５８０ｎｍ〜６８０ｎｍの領域の強度は４８０ｎｍ近傍領域の強度に比べて極めて大きいため、シアニッシュ白色光におけるシアン色光の影響は極めて弱いものとなる。そのため異常部位２２０の物体色全体としては、４８０ｎｍ近傍の領域の影響は弱くなり、通常白色光下での物体色との色変化は小さい。
【００６９】
シアニッシュ白色光と通常白色光による正常部位２１０と異常部位２２０の物体色の変化を、図１０中のｘｙ色度図（ＣＩＥ１９３１）上で示す。図１０中で線Ｌ１で結ばれている三点は、光源としてのシアニッシュ白色光、及び該シアニッシュ白色光が照射されたときの正常部位２１０（彩度Ｃが６）と異常部位２２０（彩度Ｃが１４）の物体色の色度点である。一方で、線Ｌ２で結ばれている三点は、光源としての通常白色光、及び該通常白色光が照射されたときの正常部位２１０（彩度Ｃが６）と異常部位２２０（彩度Ｃが１４）の物体色の色度点である。
【００７０】
図１０からも分かるように、シアニッシュ白色光が照射されることで、彩度Ｃが低い正常部位２１０側でも彩度Ｃが高い異常部位側でも色変化は生じるが、彩度Ｃが低い正常部位２１０の照射後の物体色の方が強く無彩色化されるため、換言すると該正常部位２１０の物体色が照射によってＢＢＬに大きく近づくため、シアニッシュ白色光の照射条件下では、彩度Ｃが低い正常部位２１０の方が色の変化量が大きくなる。従って、上述のように正常部位２１０と異常部位２２０は、物体色は同色系の赤色に属しているが、シアニッシュ白色光を照射することで、正常部位２１０の物体色だけが大きく無彩色化する方向に色変化するため、正常部位２１０と異常部位２２０とを区別して識別することが容易となる。
【００７１】
ここで、複数の発光装置８からなる発光モジュール８’によって、生体対象物の照明実験を行った場合の、生体対象物の物体色の状態を図１１Ａ及び図１１Ｂに示す。当該照明実験の生体対象物は、人体の手のひらであり、該手のひらが彩度の低い上記正常部位に相当する。また、上記異常部位に相当するものとして彩度Ｃが１４程度の赤色のマーキングを該手のひらに施した。ここで、図１１Ａは、通常白色光を照射したときのマーキングと手のひらの物体色の状態を示している。この場合、マーキングと手のひらの物体色の赤色が保護色状態となり、両者を区別しにくい。一方で、図１１Ｂは、シアニッシュ白色光を照射したときのマーキングと手のひらの物体色の状態を示している。この場合、彩度の低い手のひらは無彩色化（白色化）するが、彩度の高いマーキングは通常白色光の場合と大きく変わらない。そのため、図１１Ｂに示すように、シアニッシュ白色光下では、同色系の手のひらとマーキングとのコントラストが強調されることになる。
【００７２】
以上をまとめると、本発明に係る発光装置８は、シアニッシュ白色光を照射することにより同色系の赤色の正常部位２１０の中から彩度の高い異常部位２２０を容易に識別することが可能となる。このとき、上記無彩色化が生じる赤色の彩度の閾値は、マンセル色票の彩度Ｃが６と１４の間の何れかに存在すると考えられる。そして、該彩度の閾値は、Ｃの蛍光体から出射されるシアン色光のスペクトル特性と相関関係にあるものであるから、観察したい対象物が決定している場合には、その物体色と該対象物の周囲の物体色の関係から、通常白色光と合成されるシアン色光のスペクトル特性を適切に決定することで、当該対象物の観察を好適に行うことが可能となる。
【００７３】
尚、上記発光装置８では、観察対象である生体対象物が赤色系統（マンセル表色系の色相がＲ領域又はＲＰ領域の物体色）であったので、その補色としてシアン色光（マンセル表色系の色相がＢＧ領域又はＧ領域）を通常白色光と合成させたが、例えば観察対象の物体色がマンセル表色系のＢ領域に属する場合には、それと補色関係にある黄色光を通常白色光に合成させればよく、また観察対象の物体色がマンセル表色系のＧ領域に属する場合には、それと補色関係にあるマゼンダ色光を通常白色光に合成させればよい。このようにすることで、マンセル表色系のＲ領域以外の対象物の観察も良好に行うことができる。
【００７４】
＜発光装置のその他の構成＞
図１２Ａに発光装置８の第二の形態を示す。尚、図１２Ａに示す発光装置８と図２に示す発光装置で共通する構成については同一の参照番号を付し、その詳細な説明は省略する。図１２Ａに示す発光装置８では、環状のリフレクタ１０の内部の空間を均等に二つの領域に分割する間仕切り１１が、基板２に対して垂直に設けられている。この間仕切り１１によって、リフレクタ１０内に２つの分割領域部１２Ｗ、１２Ｃが画定される。分割領域部１２Ｃの開口部は、リフレクタ１０の開口部１３の右半分を占め、分割領域部１２Ｗの開口部は、リフレクタ１０の開口部１３の左半分を占めることになる。本出願においては、分割領域部１２Ｃの開口部を、分割開口部１３Ｃと称し、分割領域部１２Ｗの開口部を、分割開口部１３Ｗと称する。即ち、開口部１３は、間仕切り１１によって分割開口部１３Ｃと１３Ｗに分割されたことになる。
【００７５】
この分割領域部１２Ｗには、通常白色光用の蛍光体１４Ｗ（上記Ｒ、Ｇ、Ｂの蛍光体）と、これらの蛍光体を励起するための近紫外半導体発光素子３Ｗが封止剤である透光材料１５Ｗによって封止されている。尚、近紫外半導体発光素子３Ｗは配線２０Ｗから電力供給を受ける。一方で、分割領域部１２Ｃには、シアン色光用の蛍光体１４Ｃ（上記Ｃの蛍光体）と、この蛍光体を励起するための近紫外半導体発光素子３Ｃが封止剤である透光材料１５Ｃによって封止されている。尚、近紫外半導体発光素子３Ｃは配線２０Ｃから電力供給を受ける。
【００７６】
このように構成される発光装置８は、間仕切り１１で分割された二つの分割領域部１２Ｗ、１２Ｃに通常白色光を出射するための近紫外半導体発光素子３Ｃと、シアン色光を出射するための近紫外半導体発光素子３Ｗがそれぞれ設けられた結果、通常白色光とシアン白色光が、それぞれ分割開口部１３Ｗ、１３Ｃから外部に出射される。ここで、この分割開口部から放出される通常白色光とシアン色光は、蛍光体１４Ｗ、１４Ｃ及び透光材料１５Ｗ、１５Ｃを介して得られるため、近紫外半導体発光素子３Ｗ、３Ｃからの出力光が充分に散乱され、配光がランバーシアン的となり出射される。これにより均一な合成光が得られ、以て発光装置８が発する合成光においては均一なシアニッシュ白色光と照度が得られることになる。
【００７７】
また、図１２Ａに示すように、通常白色光とシアン色光の出射用の近紫外半導体素子をそれぞれ設けることにより、発光装置８の出力光を容易に調整することができる。従って、必要に応じて通常白色光のみの照射を行ったり、通常白色光とシアン色光の比率を調整することで観察の対象となる対象物の物体色の赤色の彩度に応じて適切なシアニッシュ白色光を形成したりすることが可能となる。
【００７８】
次に、図１２Ｂに発光装置８の第三の形態を示す。尚、図１２Ｂに示す発光装置８と図２に示す発光装置で共通する構成については同一の参照番号を付し、その詳細な説明は省略する。図１２Ｂに示す発光装置８は、通常白色光を出射するパッケージを１Ｗとし、シアン色光を出射するパッケージを１Ｃとするものである。即ち、図１２Ａでは一つのパッケージ１の中に、通常白色光を出射する分割領域部１２Ｗとシアン色光を出射する分割領域部１２Ｃとを設けるようにしたが、図１２Ｂに示す発光装置８では、それぞれの出射光用に独立したパッケージを準備し、最終的に両者を束ねることで本発明に係る発光装置８を形成するものである。従って、この第三の形態に係る発光装置８においても、第二の形態の場合と同様に、該発光装置８からのシアニッシュ白色光の調整が容易に行い得る。更には、通常白色光を出射するパッケージについては、従来から存在する白色光パッケージを利用することも可能である。
【００７９】
また、図１２Ｃに発光装置８の第四の形態を示す。尚、図１２Ｂに示す発光装置８と図２に示す発光装置で共通する構成については同一の参照番号を付し、その詳細な説明は省略する。図１２Ｂに示す発光装置８は、シアニッシュ白色光を合成するために用いられる上記４種類の蛍光体（Ｒ、Ｇ、Ｂ、Ｃ）毎にパッケージを準備し、それぞれ１Ｒ、１Ｇ
１Ｂ、１Ｃとする。即ち、図１２Ｂに示す第三の形態と比べて、通常白色光を合成するためのパッケージを細分化した形態である。このようにすることで、更に、シアニッシュ白色光を細かく調整することが可能となる。
【図面の簡単な説明】
【００８０】
【図１】本発明に係る半導体発光装置を備える医療用顕微内視鏡の概略構成を示す図である。
【図２】本発明に係る半導体発光装置の概略構成を示す図である。
【図３】本発明に係る半導体発光装置から照射されるシアニッシュ白色光のスペクトル変化と、通常白色光のスペクトル変化を比較して示す図である。
【図４】本発明の実施例に係る半導体発光装置において、各蛍光体からの発光に対応する色度点と、シアニッシュ白色光及び通常白色光の色度点とを、黒体輻射軌跡と合わせてｘｙ色度図（ＣＩＥ１９３１）上にプロットした図である。
【図５】図４に示す通常白色光の色度点と黒体輻射軌跡との関係についての要部拡大図である。
【図６】マンセル表色系のＲ領域である２．５Ｒのマンセル色票を示す図である。
【図７Ａ】図１に示す医療用顕微内視鏡の観察対象である生体対象物の正常部位の物体色である彩度６の赤色の反射スペクトルを示す図である。
【図７Ｂ】図１に示す医療用顕微内視鏡の観察対象である生体対象物の異常部位の物体色である彩度１４の赤色の反射スペクトルを示す図である。
【図８Ａ】通常白色光の照射を受けた場合の、低彩度である正常部位の物体色の波長スペクトルを示す図である。
【図８Ｂ】シアニッシュ白色光の照射を受けた場合の、低彩度である正常部位の物体色の波長スペクトルを示す図である。
【図９Ａ】通常白色光の照射を受けた場合の、高彩度である異常部位の物体色の波長スペクトルを示す図である。
【図９Ｂ】シアニッシュ白色光の照射を受けた場合の、高彩度である異常部位の物体色の波長スペクトルを示す図である。
【図１０】シアニッシュ白色光と通常白色光による正常部位と異常部位の物体色の変化を、ｘｙ色度図（ＣＩＥ１９３１）上で示す図である。
【図１１Ａ】サンプルであるマーキング付きの手のひらに通常白色光を照射した状態を示す図である。
【図１１Ｂ】本発明に係る半導体発光装置からなる発光モジュールでサンプルであるマーキング付きの手のひらにシアニッシュ白色光を照射した状態を示す図である。
【図１２Ａ】本発明に係る半導体発光装置の概略構成を示す第二の図である。
【図１２Ｂ】本発明に係る半導体発光装置の概略構成を示す第三の図である。
【図１２Ｃ】本発明に係る半導体発光装置の概略構成を示す第四の図である。
【符号の説明】
【００８１】
１・・・・パッケージ
２・・・・基板
３、３Ｃ、３Ｗ・・・・近紫外半導体発光素子
８・・・・半導体発光装置（発光装置）
８’・・・・発光モジュール
１０・・・・リフレクタ
１３・・・・開口部
１４・・・・蛍光体（Ｒ、Ｇ、Ｂ、Ｃ）
２０・・・・配線
１００・・・・顕微内視鏡
２００・・・・生体対象物
２１０・・・・正常部位
２２０・・・・異常部位
【図１】
2009289957.tif 000003
【図２】
2009289957.tif 000004
【図３】
2009289957.tif 000005
【図４】
2009289957.tif 000006
【図５】
2009289957.tif 000007
【図６】
2009289957.tif 000008
【図７Ａ】
2009289957.tif 000009
【図７Ｂ】
2009289957.tif 000010
【図８Ａ】
2009289957.tif 000011
【図８Ｂ】
2009289957.tif 000012
【図９Ａ】
2009289957.tif 000013
【図９Ｂ】
2009289957.tif 000014
【図１０】
2009289957.tif 000015
【図１１Ａ】
2009289957.tif 000016
【図１１Ｂ】
2009289957.tif 000017
【図１２Ａ】
2009289957.tif 000018
【図１２Ｂ】
2009289957.tif 000019
【図１２Ｃ】
2009289957.tif 000020